(57)【要約】【課題】防露ヒータを用いることなくショーケースの結露の発生を防止することができるとともに、省エネルギー化を図ることのできる冷凍空調システムを提供する。【解決手段】ショーケース３０の開口部から漏洩してショーケース３０の前面側に停滞する冷気を冷気吸入口３１ｈから吸入し、吸入した冷気をデシカントロータ１０ｃによって除湿した後に冷気吐出口３１ｊからエアカーテンの前面側を覆うように吐出するようにしたので、絶対湿度の低い冷気によってショーケース３０のエアカーテンの前面側を覆うことができ、冷気吐出口３１ｊ近傍の結露を防止することができる。また、ショーケース３０の空気吸入口３２ｄから商品冷却通風路３２に絶対湿度の高い空気の流入を防止することができ、冷却器３２ｃの着霜量を低減することができる。【選択図】図５
2006343019.tif 000002
【特許請求の範囲】
【請求項１】
前面に開口部が設けられ、冷却器によって冷却した空気を流通させることにより開口部にエアカーテンを形成するショーケースと、
ショーケースの開口部から漏洩してショーケースの前面側に停滞する冷気を吸入する冷気吸入手段と、
冷気吸入手段によって吸入した冷気を除湿する除湿手段と、
除湿された冷気をショーケースに形成されるエアカーテンの前面側を覆うように吐出する冷気吐出手段とを備えた
ことを特徴とする冷凍空調システム。
【請求項２】
前記除湿手段によって除湿することにより温度が上昇した冷気と冷気吸入手段によって吸入された冷気とを顕熱交換するショーケース用顕熱交換手段を備えた
ことを特徴とする請求項１記載の冷凍空調システム。
【請求項３】
ショーケース用顕熱交換手段によって顕熱交換されることにより温度が上昇した冷気をショーケースが設置された室内に流通させる冷気流通手段を備えた
ことを特徴とする請求項２記載の冷凍空調システム。
【請求項４】
前記ショーケースが設置された室内の空気を屋外に排出し、屋外の空気を室内に供給する換気手段と、
換気手段によって屋外に排出される室内の空気と室内に供給される屋外の空気とを顕熱交換する換気用顕熱交換手段と、
空気中の水分を吸着する前記除湿手段としての除湿部材と、
換気用顕熱交換手段によって屋外の空気と顕熱交換された室内の空気を、除湿部材に吸着した水分を放出させる再生用空気として加熱する加熱手段とを備えた
ことを特徴とする請求項１記載の冷凍空調システム。
【請求項５】
前記冷却器と、冷媒を流通させる圧縮機と、冷却器において吸収した熱を排出する凝縮器とからなる冷媒回路を備え、
前記加熱手段として冷媒回路の凝縮器を用いた
ことを特徴とする請求項４記載の冷凍空調システム。
【請求項６】
前記冷却器と、冷媒を流通させる圧縮機からなる低温側冷媒回路と、
冷媒を流通させる圧縮機と、冷却器において吸収した熱を排出する凝縮器からなる高温側冷媒回路と、
低温側冷媒回路を流通する冷媒と高温側冷媒回路を流通する冷媒とを熱交換する熱交換器とを備え、
前記加熱手段として高温側冷媒回路の凝縮器を用いた
ことを特徴とする請求項４記載の冷凍空調システム。
【請求項７】
前記換気用顕熱交換手段によって顕熱交換される前の室内の空気を加湿する加湿手段を備えた
ことを特徴とする請求項４記載の冷凍空調システム。
【請求項８】
前記加湿手段に使用する水として室内の冷房運転またはショーケースの冷却運転時に生じる結露水を用いた
ことを特徴とする請求項７記載の冷凍空調システム。
【請求項９】
前記換気用顕熱交換手段としてバイパス通路が形成された顕熱交換器を用いた
ことを特徴とする請求項４記載の冷凍空調システム。
【請求項１０】
屋外の空気をショーケースに形成されるエアカーテンの前面側を覆うように吐出する外気吐出手段を備えた
ことを特徴とする請求項１記載の冷凍空調システム。
【請求項１１】
前記ショーケースの開口部から漏洩し、ショーケースの前面側に停滞する冷気を吸入する冷気吸入手段と、
冷気吸入手段によって吸入した冷気と室内の空気とを顕熱交換する空調用顕熱交換手段と、
空調用顕熱交換手段によって室内の空気と熱交換された冷気を室内に流通させる冷気流通手段と、
空調用顕熱交換手段によって冷気と熱交換された室内の空気を屋外に排出する排気手段とを備えた
ことを特徴とする請求項１０記載の冷凍空調システム。
【請求項１２】
前記冷気流通手段によって室内に流通させる冷気を加熱する冷気加熱手段を備えた
ことを特徴とする請求項１１記載の冷凍空調システム。
【請求項１３】
前記冷却器と冷却器において吸収した熱を排出する凝縮器とを有する冷媒回路を備え、
前記冷気加熱手段として冷媒回路の凝縮器を用いた
ことを特徴とする請求項１２記載の冷凍空調システム。
【請求項１４】
前記冷気吐出手段によって吐出される冷気の温度及び湿度を検出する冷気温湿度検出器と、
屋外の空気の温度及び湿度を検出する外気温湿度検出器と、
冷気温湿度検出器の検出温度及び検出湿度から冷気のエンタルピを算出するとともに、外気温湿度検出器の検出温度及び検出湿度から屋外の空気のエンタルピを算出するエンタルピ算出手段と、
算出された冷気のエンタルピを記憶するエンタルピ記憶手段と、
エンタルピ記憶手段に記憶された冷気のエンタルピが屋外の空気のエンタルピよりも小さいときには、冷気吐出手段によって冷気をエアカーテンの前面側を覆うように吐出し、エンタルピ記憶手段に記憶された冷気のエンタルピが屋外の空気のエンタルピよりも大きいときには、外気吐出手段によって屋外の空気をエアカーテンの前面側を覆うように吐出する吐出空気切換制御手段とを備えた
ことを特徴とする請求項１０記載の冷凍空調システム。
【請求項１５】
前記エアカーテンを形成する送風量可変の送風機と、
ショーケース内の上部の温度を検出する上部温度検出器と、
ショーケース内の下部の温度を検出する下部温度検出器と、
上部温度検出器の検出温度と下部温度検出器の検出温度との検出温度差が所定の第１の設定温度差よりも小さくなると、送風機の送風量を減少させ、検出温度差が第１の設定温度差よりも大きい第２の設定温度差よりも大きくなると、送風機の送風量を増加させる送風量制御手段とを備えた
ことを特徴とする請求項１または１０記載の冷凍空調システム。
【請求項１６】
ショーケース本体と別体に形成され、ショーケースの前面に空気を吐出する通風路をショーケースの上面側に取付けた
ことを特徴とする請求項１または１０記載の冷凍空調システム。
【発明の詳細な説明】
【技術分野】
【０００１】
本発明は、前面に開口部を有する冷蔵または冷凍のショーケースの開口部から漏洩する冷気を利用することにより、空気調和装置やショーケースの運転による消費エネルギーを低減することのできる冷凍空調システムに関するものである。
【背景技術】
【０００２】
従来、室内の空調を行なう空調システムとしては、室内の空気を外部に排出するとともに、外部の空気を室内に供給する換気手段と、換気手段によって外部に排出する室内の空気と室内に供給する屋外の空気とを顕熱交換する顕熱交換器と、室内の空気及び外部の空気を冷却または加熱して室内に供給する空気調和機とを備えたものが知られている。
【０００３】
また、従来のショーケースとしては、前面に開口部を有するショーケース本体と、ショーケース本体に設けられた冷却器とを備え、開口部に冷却器によって冷却した空気を流通してエアカーテンを形成することによりショーケース本体内を冷却するようにしたものが知られている。しかしながら、前記ショーケースでは、ショーケース本体の開口部から室内のエンタルピの高い空気が侵入するため、冷却効率が低下して消費電力量が増加するおそれがある。また、ショーケース本体の開口部から冷気が漏洩し、漏洩した冷気がショーケース本体の前面側に位置する通路に停滞することによりコールドアイルが生じるため、利用者にとって不快な環境となるおそれがある。そこで、ショーケース本体の下部から停滞した冷気を吸入し、吸入した冷気をエアカーテンの前面側に流通させる冷気循環手段を備え、エンタルピの高い室内の空気とエアカーテンの接触を防止することによりショーケース本体内の冷却効率を向上させるとともに、コールドアイルを解消するようにしたものが知られている（例えば、特許文献１参照）。
【特許文献１】特開平６−２４１６４１号公報
【発明の開示】
【発明が解決しようとする課題】
【０００４】
しかしながら、ショーケース本体の開口部から漏洩した冷気は室内の空気と比較してエンタルピは低いが絶対湿度は変化せず、冷気循環手段の空気吐出口に結露が発生するため、結露を防止するために空気吐出口付近に防露ヒータを用いなければならず、消費電力量の低減を図ることができないという問題点があった。
【０００５】
本発明は前記問題点に鑑みてなされたものであり、その目的とするところは、防露ヒータを用いることなくショーケースの結露の発生を防止することができるとともに、省エネルギー化を図ることのできる冷凍空調システムを提供することにある。
【課題を解決するための手段】
【０００６】
本発明は前記目的を達成するために、前面に開口部が設けられ、冷却器によって冷却した空気を流通させることにより開口部にエアカーテンを形成するショーケースと、ショーケースの開口部から漏洩してショーケースの前面側に停滞する冷気を吸入する冷気吸入手段と、冷気吸入手段によって吸入した冷気を除湿する除湿手段と、除湿された冷気をショーケースに形成されるエアカーテンの前面側を覆うように吐出する冷気吐出手段とを備えている。
【０００７】
これにより、ショーケースの開口部から漏洩してショーケースの前面側に停滞する冷気が除湿されることから、絶対湿度の低い冷気によってショーケースのエアカーテンの前面側を覆うことが可能となる。
【発明の効果】
【０００８】
本発明によれば、絶対湿度の低い冷気によってショーケースのエアカーテンの前面側を覆うことができるので、冷気が吐出される冷気吐出口近傍の結露を防止することができる。また、ショーケースの開口部にエアカーテンを形成する通風路への絶対湿度の高い空気の流入を防止することができ、冷却器の着霜量を低減することができる。更に、冷気吐出手段によって吐出される冷気は、除湿部材によって除湿されてもエンタルピが増加することはないため、ショーケースの冷却負荷が増加することはない。
【発明を実施するための最良の形態】
【０００９】
図１乃至図１０は本発明の第１の実施形態を示すもので、図１は風回路を示す冷凍空調システムの概略構成図、図２は冷媒回路を示す冷凍空調システムの概略構成図、図３はショーケースの側面断面図、図４は制御系を示すブロック図、図５は冷気循環運転時の空気の流路を示す冷凍空調システムの概略構成図、図６は外気流通運転時の空気の流路を示す冷凍空調システムの概略構成図、図７は冷気循環運転時の空気の状態を示す空気線図、図８は外気流通運転時の空気の状態を示す空気線図、図９は換気ユニットの運転切換の制御に関するフローチャート、図１０はショーケース用送風機の送風量の制御に関するフローチャートである。
【００１０】
この冷凍空調システムは、食品や飲料を販売する小売店の店舗Ａに適用されるものであり、店舗Ａ内の換気を行なうための換気ユニット１０と、店舗Ａ内の冷房及び暖房を行なうための空気調和機２０と、店舗Ａ内に設置される複数のショーケース３０と、各ショーケース３０の冷凍サイクルを構成するための冷媒回路４０と、換気ユニット１０の運転の切換制御を行なうための制御部５０とを備えている。
【００１１】
換気ユニット１０は、図１に示すように、店舗Ａ内の還気（ＲＡ）を屋外に排出するための第１通風路１１と、外気（ＯＡ）またはショーケース３０の前方に位置する通路下部の冷気を空気調和機２０の空気吸入側に流通させるための第２通風路１２と、ショーケース３０の前方の冷気を空気調和機２０の空気吸入側に流通させるための第３通風路１３と、ショーケース３０の前方に位置する通路下部の冷気をショーケース３０の前面側上部に流通させるための第４通風路１４とを備え、各通風路１１，１２，１３，１４にはそれぞれ第１〜第４送風機１１ａ，１２ａ，１３ａ，１４ａが設けられている。第１通風路１１は、流入側が店舗Ａ内の天井に設けられた空気吸入口１１ｂに接続され、流出側が店舗Ａの外壁に設けられた図示しない排気ガラリやベントキャップ等に接続されている。第２通風路１２は、流入側が外気（ＯＡ）を流通させるための第５通風路１５とショーケース３０の前方の冷気を流通させるための第６通風路１６とに並列に接続され、流出側が空気調和機２０の空気吸入側に接続されている。第３通風路１３は、流入側が第６通風路１６に接続され、流出側が空気調和機２０の空気吸入側に接続されている。第４通風路１４は、流入側が第６通風路１６に接続され、流出側がショーケース３０の開口部に形成されるエアカーテンの外側を覆うための空気を流通させる第７通風路１７に接続されている。また、第５通風路１５は、流入側が店舗Ａの外壁に設けられた図示しない吸気ガラリ等に接続され、流出側が第２通風路１２の吸入側と第４通風路１４の流出側に設けられた第４送風機１４ａの上流側とに分岐してそれぞれ接続されている。第５通風路１５には第１ダンパ１５ａが設けられ、第１ダンパ１５ａによって第５通風路１５の流路を第２通風路１２側と第４通風路１４側に切換可能となっている。また、第６通風路１６には第２ダンパ１６ａが設けられ、第２ダンパ１６ａによって第６通風路１６の流路を第２通風路１２側と第３及び第４通風路１３，１４側に切換可能となっている。更に、第３通風路１３の吐出側には、端部を閉鎖可能な第３ダンパ１３ｂが設けられている。第１ダンパ１５ａ、第２ダンパ１６ａ及び第３ダンパ１３ｂはそれぞれ図示しないモータによって駆動するようになっている。ここで、第１ダンパ１５ａによって第５通風路１５を第２通風路１２側に設定するとともに、第２ダンパ１６ａによって第６通風路１６を第３及び第４通風路１３，１４側に設定し、第３ダンパ１３ｂによって第３通風路１３を開放することにより、換気ユニット１０には冷気循環運転用の風回路が構成される。また、第１ダンパ１５ａによって第５通風路１５を第４通風路１４側に設定するとともに、第２ダンパ１６ａによって第６通風路１６を第２通風路１２側設定し、第３ダンパ１３ｂによって第３通風路１３を閉鎖することにより、換気ユニット１０には外気流通運転用の風回路が構成される。
【００１２】
第１通風路１１及び第２通風路１２には第１顕熱交換器１０ａが設けられ、第１通風路１１を流通する空気と第２通風路１２を流通する空気の顕熱を熱交換するようになっている。第３通風路１３及び第４通風路１４には第２顕熱交換器１０ｂが設けられ、第３通風路１３を流通する空気と第４通風路１４を流通する空気の顕熱を熱交換するようになっている。第１顕熱交換器１０ａ及び第２顕熱交換器１０ｂは、アルミニウム等の部材から形成された固定式の直交流型顕熱交換器からなり、潜熱の熱交換を行うことなく顕熱のみの熱交換を行なうようになっている。
【００１３】
第１通風路１１の第１顕熱交換器１０ａの下流側と第４通風路１４の第２顕熱交換器１０ｂの上流側には除湿手段としてのデシカントロータ１０ｃが設けられ、第４通風路１４を流通する空気中の水分を第１通風路１１を流通する空気中に放出させるようになっている。デシカントロータ１０ｃは、シリカゲルやゼオライト等の吸湿剤を含んだエレメントを円板状に形成した部材からなり、図示しないモータによって第１通風路１１と第４通風路１４との間をエレメントが回転しながら移動するようになっている。また、第１通風路１１のデシカントロータ１０ｃと第１顕熱交換器１０ａとの間には、第１の通風路１１を流通する空気を加熱するための加熱手段が設けられている。第１の通風路１１を流通する空気は、加熱手段によって加熱された後にデシカントロータ１０ｃを通過することにより、エレメントに吸着した水分を放出させるようになっている。加熱手段は、後述するショーケース３０の冷凍サイクルを構成する冷媒回路４０に接続され、ショーケース３０の冷却運転時に発生する排熱の一部を放出するための再生用凝縮器１０ｄが用いられる。
【００１４】
空気調和機２０は、送風機２１及び熱交換器２２を備え、店舗Ａ内の天井面に設けられた空気吸入口２３から店舗Ａ内の空気（ＲＡ）を吸入し、吸入した空気（ＲＡ）を冷却または加熱して店舗Ａ内の天井面に設けられた空気吐出口２４から店舗Ａ内に給気（ＳＡ）として吐出するようになっている。また、ここで用いられる熱交換器２２は、図示しない圧縮機によって流通するフロン系冷媒や二酸化炭素等の自然冷媒と店舗Ａ内の空気（ＲＡ）を熱交換するものでもよいし、図示しないポンプによって流通するターボ冷凍機及びボイラまたは冷温水発生器等によって生成された冷水または温水と店舗Ａ内の空気（ＲＡ）を熱交換するものでもよい。
【００１５】
各ショーケース３０は、図３に示すように、前面に開口部を有するショーケース本体３１と、ショーケース本体３１内の底面側、背面側及び上面側に沿って形成された商品冷却通風路３２を備えている。
【００１６】
ショーケース本体３１は上面側、背面側、底面側及び左右両側面側が断熱壁３１ａによって形成されている。ショーケース本体３１内には、断熱壁３１ａの内面と間隔をおいて上面側、背面側及び底面側にそれぞれ上面板３１ｂ、背面板３１ｃ及び底板３１ｄが設けられ、その内部に商品収納部３１ｅが設けられている。商品収納部３１ｅには、上下方向に複数の商品棚３１ｆが互いに間隔をおいて設けられ、各商品棚３１ｆに商品が陳列されるようになっている。また、ショーケース本体３１には底面側及び背面側に沿って冷気流入路３１ｇが設けられ、ショーケース本体３１の開口部の下方に設けられた冷気吸入口３１ｈから吸入した空気を冷気流入路３１ｇ内に吸入して第６通風路１６に流通させるようになっている。更に、ショーケース本体３１には上面に沿って冷気流出路３１ｉが設けられ、冷気流出路３１ｉは第７通風路１７に接続されている。冷気流出路３１ｉの前端側には冷気吐出口３１ｊが下方に向かって設けられ、冷気吐出口３１ｊから吐出する空気が開口部の前面側を覆うようになっている。
【００１７】
商品冷却通風路３２は断熱壁３１ａの内面と上面板３１ｂ、背面板３１ｃ及び底板３１ｄとの間に形成され、商品冷却通風路３２の背面側及び上面側は仕切板３２ａによって商品収納部３１ｅ側と断熱壁３１ａ側に仕切られている。また、底面側の商品冷却通風路３２には空気を流通させるためのショーケース用送風機３２ｂが設けられ、背面側の商品冷却通風路３２の商品収納部３１ｅ側には空気を冷却するための冷却器３２ｃが設けられている。ここで用いられるショーケース用送風機３２ｂは送風量が変更可能となっている。更に、ショーケース本体３１の開口部の下端側に位置する商品冷却通風路３２の端部には空気吸入口３２ｄが設けられ、開口部の上端側に位置する商品冷却通風路３２の端部には空気吐出口３２ｅが設けられている。
【００１８】
冷媒回路４０は、図２に示すように、再生用凝縮器１０ｄ、各冷却器３２ｃ、圧縮機４１、各電磁弁４２、膨張弁４３及び凝縮器４４とを備え、これらは冷媒流通用の配管によって接続されている。即ち、圧縮機４１の吐出側には第１の通風路１１内に設けられた再生用凝縮器１０ｄの流入側が接続され、再生用凝縮器１０ｄの流出側には凝縮器４４の流入側が接続されている。また、凝縮器４４の流出側には各冷却器３２ｃの流入側が並列に接続されている。凝縮器４４の流出側と各冷却器３２ｃの流入側との間には各電磁弁４２及び膨張弁４３が接続されている。各冷却器３２ｃの流出側には圧縮機４１の吸入側が並列に接続されている。
【００１９】
制御部５０は、マイクロコンピュータによって構成され、そのメモリには換気ユニット１０の運転制御に関するプログラムの他に温度及び相対湿度のデータからエンタルピを算出するプログラムが記憶されている。また、制御部５０には、図４に示すように、第１〜第３ダンパ１５ａ，１６ａ，１３ｂ、第１〜第４送風機１１ａ，１２ａ，１３ａ，１４ａ、ショーケース用送風機３２ｂ、冷気流出路３１ｉを流通する空気の温度及び湿度を検出するための第１温湿度検出器５１、外気（ＯＡ）の温度及び湿度を検出するための第２温湿度検出器５２、ショーケース本体３１の商品収納部３１ｅの上部の温度を検出するための第１温度検出器５３、ショーケース本体３１の商品収納部３１ｅの下部の温度を検出するための第２温度検出器５４、冷気循環運転時の第１の温湿度検出器５１の検出した温度Ｔ１及び相対湿度Ｈ１から算出されたエンタルピのデータを記憶するための記憶部５５が接続されている。第１及び第２温湿度検出器５１，５２は、温度検出部が白金側温抵抗体やサーミスタ等からなり、湿度検出部がセラミックや高分子ポリマー等からなる周知の温湿度センサである。また、第１及び第２の温度検出器５３，５４は、白金側温抵抗体やサーミスタからなる周知の温度センサである。
【００２０】
以上のように構成された冷凍空調システムにおいて、ショーケース３０は冷媒回路４０の圧縮機４１を運転することにより冷却運転が行なわれる。圧縮機４１から吐出された冷媒は、再生用凝縮器１０ｄ及び凝縮器４４を流通した後に各電磁弁４２及び各膨張弁４３を介して冷却器３２ｃを流通し、圧縮機４１に吸入される。
【００２１】
各ショーケース３０では、商品収納部３１ｅの空気がショーケース用送風機３２ｂによって空気吸入口３２ｄから商品冷却通風路３２に吸入される。商品冷却通風路３２に流入した空気の一部は商品収納部３１ｅ側を流通して冷却器３２ｃによって冷却され、その他の空気は冷却器３２ｃによって冷却されることなく断熱壁３１ａ側を流通する。空気吐出口３２ｅから吐出される空気は商品収納部３１ｅの内側と外側とで温度の異なるエアカーテンを形成し、商品収納部３１ｅを冷却する。このとき、ショーケース本体３１の開口部にはエアカーテンが形成されているが、商品収納部３１ｅの冷気が漏洩したり、開口部の周りの空気が冷却されて、ショーケース本体３１の前方に位置する通路の下部に店舗Ａ内の空気よりも温度が低い冷気が停滞する。
【００２２】
空気調和機２０は、送風機２１によって空気吸入口２３から吸入した店舗Ａ内の空気を熱交換器２２によって冷却または加熱して空気吐出口２４から吐出し、店舗Ａ内を冷房または暖房する。
【００２３】
また、夏季等の外気の温湿度が高い場合、空気調和機２０は冷房運転を行なうとともに、換気ユニット１０は冷気循環運転を行なう。即ち、第１ダンパ１５ａによって第５通風路１５の流路を第２通風路１２側に設定するとともに、第２ダンパ１６ａによって第６通風路１６の流路を第３及び第４通風路１３，１４側に設定し、第１〜第４送風機１１ａ，１２ａ，１３ａ，１４ａ及びデシカントロータ１０ｃを運転する。また、第３ダンパ１３ｂは第３通風路を開放する。
【００２４】
このときの換気ユニット１０の運転を、図５の冷気循環運転時の空気の流路を示す概略構成図と図７の空気線図を用いて説明する。第１通風路１１において、第１送風機１１ａによって空気吸入口１１ｂから流入する状態Ａの店舗Ａ内の還気（ＲＡ）は、第１顕熱交換器１０ａを通過することにより、第２通風路１２を流通する外気（ＯＡ）と熱交換して状態Ｂまで加熱される。また、状態Ｂの空気は、再生用凝縮器１０ｄを通過することにより、再生用凝縮器１０ｄを流通する冷媒と熱交換して状態Ｃまで加熱される。更に、状態Ｃの空気は、デシカントロータ１０ｃを通過することにより、デシカントロータ１０ｃが吸着した水分を放出させて状態Ｄまで加湿されるとともに、水分の蒸発熱によって冷却される。この状態Ｄの空気が排気（ＥＡ）として屋外に排出される。また、第２通風路１２において、第２送風機１２ａによって第５通風路１５を介して流入する状態Ｅの外気（ＯＡ）は、第１顕熱交換器１０ａを通過することにより、第１通風路１１を流通する店舗Ａ内の還気（ＲＡ）と熱交換して状態Ｆまで冷却される。この状態Ｆの空気が空気調和機２０の空気吸入側に流通して店舗Ａ内に供給される。また、第３通風路１３において、第３送風機１３ａによって冷気吸入口３１ｈから冷気流入路３１ｇ及び第６通風路１６を介して流入する状態Ｇの冷気は、第２顕熱交換器１０ｂを通過することにより、第４通風路１４を流通する冷気と熱交換して状態Ｈまで加熱される。この状態Ｈの空気が空気調和機２０の空気吸入側に流通して店舗Ａ内に供給される。また、第４通風路１４において、第４送風機１４ａによって冷気吸入口３１ｈから冷気流入路３１ｇ及び第６通風路１６を介して流入する状態Ｇの冷気は、デシカントロータ１０ｃを通過することにより、状態Ｉまで除湿されるとともに、水分の凝縮熱によって加熱される。状態Ｉの空気は、第２顕熱交換器１０ｂを通過することにより、第３通風路１３を流通する冷気と熱交換して状態Ｊまで冷却される。この状態Ｊの空気が第７通風路１７及び冷気流出路３１ｉを介して冷気吐出口３１ｊから吐出される。
【００２５】
このような換気ユニット１０の運転により、外気（ＯＡ）は、還気（ＲＡ）との顕熱交換により、エンタルピを減少させて空気調和機２０の空気吸入側に供給される。還気（ＲＡ）は、ショーケース３０の運転によって生じる排熱によって加熱されることにより、デシカントロータ１０ｃの再生用空気として利用された後に排気（ＥＡ）として屋外に排出される。また、ショーケース３０の前方に位置する通路下部の冷気の一部は、デシカントロータ１０ｃによって除湿された後にその他の冷気と熱交換することにより、エンタルピを減少させてショーケース３０のエアカーテンの外側を流通する。また、その他の冷気は、一部の冷気との熱交換により、エンタルピを増加させて空気調和機２０の空気吸入側に供給される。このとき、空気調和機２０の空気吸入側に供給されるその他の冷気は、一部の冷気との熱交換によりエンタルピは増加するが、店舗Ａ内の空気よりもエンタルピは小さいため、空調負荷が増加することはない。
【００２６】
また、冬季等の外気の温湿度が低く、外気（ＯＡ）のエンタルピが冷気循環運転における状態Ｊの空気のエンタルピより少ない場合、空気調和機２０は暖房運転を行なうとともに、換気ユニット１０は外気流通運転を行なう。即ち、第１ダンパ１５ａによって第５通風路１５の流路を第４通風路１４側に設定するとともに、第２ダンパ１６ａによって第６通風路１６の流路を第２通風路１２側に設定し、第１送風機１１ａ、第２送風機１２ａ及び第４送風機１４ａを運転して第３送風機１３ａ及びデシカントロータ１０ｃを停止する。また、第３ダンパ１３ｂは第３通風路１３を閉鎖する。
【００２７】
このときの換気ユニット１０の運転を図６の外気流通運転の空気の流路を示す概略構成図と図８の空気線図を用いて説明する。第１通風路１１において、第１送風機１１ａによって空気吸入口１１ｂから流入する状態Ａ′の店舗Ａ内の還気（ＲＡ）は、第１顕熱交換器１０ａを通過することにより、第２通風路１２を流通する冷気と熱交換して状態Ｂ′まで冷却される。また、状態Ｂ′の空気は、再生用凝縮器１０ｄを通過することにより、再生用凝縮器１０ｄを流通する冷媒と熱交換して状態Ｃ′まで加熱される。この状態Ｃ′の空気が排気（ＥＡ）として屋外に排出される。また、第２通風路１２において、第２送風機１２ａによって冷気吸入口３１ｈから冷気流入路３１ｇ及び第６通風路１６を介して流入する状態Ｄ′の冷気は、第１顕熱交換器１０ａを通過することにより、第１通風路１１を流通する店舗Ａ内の還気（ＲＡ）と熱交換して状態Ｅ′まで加熱される。この状態Ｅ′の空気が空気調和機２０の空気吸入側に流通して店舗Ａ内に供給される。また、第４通風路１４において、第４送風機１４ａによって第５通風路１５を介して流入する状態Ｆ′の外気（ＯＡ）は、第７通風路１７及び低湿度通風路３１ｉを介して冷気吐出口３１ｊからエアカーテンの外側を下方に向かって流通する。
【００２８】
このような換気ユニット１０の運転により、外気（ＯＡ）は、熱交換及び除湿されることなく、ショーケース３０のエアカーテンの外側を流通する。また、還気（ＲＡ）は、第１顕熱交換器１０ａによってショーケース３０の前方の冷気と熱交換を行なった後に排気（ＥＡ）として屋外に排出される。また、ショーケース３０の前方の冷気は、第１顕熱交換器１０ａによって還気（ＯＡ）と熱交換することにより、エンタルピを増加させて空気調和機２０の空気吸入側に供給される。
【００２９】
次に、冷気循環運転と外気流通運転の運転切換制御に関する制御部５０の動作を図９のフローチャートを用いて説明する。まず、換気ユニット１０を冷気循環運転し（ステップＳ１）、その時の第１温湿度検出器５１の検出温度Ｔ１及び検出湿度Ｈ２からエンタルピＥ１を算出し（ステップＳ２）、所定時間ごとに記憶部に記憶する。次に、第２温湿度検出器５２の検出温度Ｔ２及び検出湿度Ｈ２から外気（ＯＡ）のエンタルピＥ２を算出する（ステップＳ３）。記憶したエンタルピＥ１が外気のエンタルピＥ２以下の場合には（ステップＳ４）、冷気循環運転を行なう（ステップＳ１）。また、記憶したエンタルピＥ１が外気（ＯＡ）のエンタルピＥ２よりも大きい場合には（ステップＳ４）、外気流通運転を行なう（ステップＳ５）。
【００３０】
また、ショーケース用送風機３２ｂの送風量の制御に関する制御部５０の動作を図１０のフローチャートを用いて説明する。まず、第１温度検出器５３の検出温度Ｔ３と第２温度検出器５４の検出温度Ｔ４との温度差ΔＴを算出する（ステップＳ１１）。温度差ΔＴが所定の設定温度差ΔＴ１よりも小さい場合には（ステップＳ１２）、ショーケース用送風機３２ｂの送風量を減少させる（ステップＳ１３）。また、温度差ΔＴが所定の設定温度差ΔＴ１以上で（ステップＳ１２）、温度差ΔＴが所定の設定温度差ΔＴ２（ΔＴ１＜ΔＴ２）よりも大きい場合には（ステップＳ１４）、ショーケース用送風機３２ｂの送風量を増加させる（ステップＳ１５）。
【００３１】
このように、本実施形態の冷凍空調システムによれば、ショーケース３０の開口部から漏洩してショーケース３０の前面側に停滞する冷気を冷気吸入口３１ｈから吸入し、吸入した冷気をデシカントロータ１０ｃによって除湿した後に冷気吐出口３１ｊからエアカーテンの前面側を覆うように吐出するようにしたので、絶対湿度の低い冷気によってショーケース３０のエアカーテンの前面側を覆うことができ、冷気吐出口３１ｊ近傍の結露を防止することができる。また、ショーケース３０の空気吸入口３２ｄから商品冷却通風路３２に絶対湿度の高い空気の流入を防止することができ、冷却器３２ｃの着霜量を低減することができる。更に、冷気吐出口３１ｊから吐出する冷気は、デシカントロータ１０ｃによって除湿されてもエンタルピが変化することはないため、ショーケース３０の冷却負荷が増加することはない。
【００３２】
また、デシカントロータ１０ｃによって除湿することにより温度が上昇した冷気を冷気吸入口３１ｈから吸入した冷気と顕熱交換する第２顕熱交換器１０ｂを備えたので、デシカントロータ１０ｃによって除湿された冷気の温度を低下させることにより冷気のエンタルピを低下させることができ、ショーケース３０の冷却負荷の低減を更に図ることができる。
【００３３】
また、第２顕熱交換器１０ｂによって顕熱交換されることにより温度が上昇した冷気を空気調和機２０を介して店舗Ａ内に流通するようにしたので、店舗Ａ内の空気よりもエンタルピの低い空気を空気調和機２０を介して店舗Ａ内に流通させることができ、店舗Ａ内の冷房負荷の低減を図ることができる。
【００３４】
また、店舗Ａ内の換気を行なう際に、第１顕熱交換器１０ａによって屋外に排出される店舗Ａ内の空気と店舗Ａ内に供給される外気とを顕熱交換し、第１顕熱交換器１０ａによって加熱された店舗Ａ内の空気を、デシカントロータ１０ｃが吸着した水分を放出させる再生用空気として加熱するようにしたので、再生用空気を所定の温度まで加熱するために必要な熱量を小さくすることができ、省エネルギー化を図ることができる。また、外気よりもエンタルピの低い空気を店舗Ａ内に流通させることができ、冷房負荷の低減を図ることができる。
【００３５】
また、冷媒回路４０に接続された再生用凝縮器１０ｄから放出される排熱によってデシカントロータ１０ｃが吸着した水分を放出させるための再生用空気を加熱するようにしたので、別途ヒータを必要とすることなく、従来屋外に排出されていた排熱によって再生用空気を加熱することができ、省エネルギー化を更に図ることができる。
【００３６】
また、外気をエアカーテンの前面側を覆うように冷気吐出口３１ｊから吐出するようにしたので、例えば冬季等の外気の温湿度が低い場合には、エンタルピの低い外気を冷気吐出口３１ｊから吐出することができ、ショーケース３０の冷却負荷の低減を更に図ることができる。
【００３７】
また、冷気吸入口３１ｈから吸入される冷気を、第１顕熱交換器１０ａによって店舗Ａ内の空気と顕熱交換した後に空気調和機２０を介して店舗Ａ内に流通させるようにしたので、外気よりもエンタルピの高い冷気を更にエンタルピを高くして店舗Ａ内に流通させることができ、暖房負荷の低減を図ることができる。また、店舗Ａ内の空気を、第１顕熱交換器１０ａによって冷気と顕熱交換した後に屋外に排出するようにしたので、冷気吐出口３１ｊから吐出される外気と屋外に排出される店舗Ａ内の空気とにより換気を行なうことができる。
【００３８】
また、記憶部５０に記憶された冷気循環運転時の冷気吐出口３１ｊから吐出される冷気のエンタルピＥ１と屋外の空気のエンタルピＥ２を比較し、冷気のエンタルピＥ１が屋外の空気のエンタルピＥ２よりも小さいときには冷気循環運転を行ない、冷気のエンタルピＥ１が屋外のエンタルピＥ２よりも大きいときには外気流通運転を行なうようにしたので、外気の温度及び湿度の状態に応じて換気ユニット１０の運転を切換えることができ、常にショーケース３０の冷却負荷を低減する運転を行なうことができる。
【００３９】
また、商品収納部３１ｅ上部の温度Ｔ３と商品収納部３１ｅ下部Ｔ４の温度との検出温度差ΔＴが所定の第１の設定温度差ΔＴ１よりも小さくなると、ショーケース用送風機３２ｂの送風量を減少させ、検出温度差ΔＴが所定の第２の設定温度差ΔＴ２よりも大きくなると、ショーケース用送風機３２ｂの送風量を増加させるようにしたので、商品収納部３１ｅ内の温度差ΔＴを所定の温度差の範囲に保持することができ、商品収納部３１ｅ内が必要以上に冷却されることによる消費エネルギーの増加を防止することができる。
【００４０】
図１１乃至図１３は本発明の第２の実施形態を示すもので、図１１は冷媒回路及びドレン水回路を示す冷凍空調システムの概略構成図、図１２はバイパス回路を示す第１顕熱交換器の斜視図、図１３は冷気循環運転時の空気の状態を示す空気線図、図１４はバイパス回路に外気を流通させたときの空気の状態を示す空気線図である。尚、前記実施形態と同様の構成部分には同一の符号を付して示す。
【００４１】
本実施形態の冷凍空調システムは、図１１に示すように、第１通風路１１の第１顕熱交換器１０ａの上流側を流通する空気を加湿するための加湿器６０を備え、各ショーケース本体３１内に設けられた冷却器３２ｃにおいて生じる結露や除霜運転によって生じるドレン水をポンプ６１によって圧送し、ポンプ６１によって圧送されたドレン水をスプレーノズル６２から第１通風路１１内に水を噴霧するようになっている。また、第１顕熱交換器１０ａの第２通風路１２側には、図１２に示すように、バイパス通風路１８が設けられ、バイパス通風路１８が第４ダンパ１８ａによって開閉可能となっている。
【００４２】
以上のように構成された冷凍空調システムにおいて、冷気循環運転時の換気ユニット１０の運転を図１３の空気線図を用いて説明する。第１通風路１１において、第１送風機１１ａによって空気吸入口１１ｂから流入する状態ａの店舗Ａ内の還気（ＲＡ）は、加湿器６０のスプレーノズル６２から噴霧されるドレン水によって状態ｂまで加湿されるとともに、水分の蒸発熱によって冷却される。また、状態ｂの空気は、第１顕熱交換器１０ａを通過することにより、第２通風路１２を流通する外気（ＯＡ）と熱交換して状態ｃまで加熱される。更に、状態ｃの空気は、再生用凝縮器１０ｄを通過することにより、再生用凝縮器１０ｄを流通する冷媒と熱交換して状態ｄまで加熱される。また、状態ｄの空気は、デシカントロータ１０ｃを通過することにより、デシカントロータ１０ｃが吸着した水分を放出させて状態ｅまで加湿されるとともに、水分の蒸発熱によって冷却される。この状態ｅの空気が排気（ＥＡ）として屋外に排出される。また、第２通風路１２において、第２送風機１２ａによって第５通風路１５を介して流入する状態ｆの外気（ＯＡ）は、第１顕熱交換器１０ａを通過することにより、加湿器６０によって加湿された第１通風路１１を流通する店舗Ａ内の還気（ＲＡ）と熱交換して状態ｇまで冷却される。この状態ｇの空気が空気調和機２０の空気吸入側に流通して店舗Ａ内に供給される。また、第３通風路１３において、第３送風機１３ａによって冷気吸入口３１ｈから冷気流入路３１ｇ及び第６通風路１６を介して流入する状態ｈの冷気は、第２顕熱交換器１０ｂを通過することにより、第４通風路１４を流通する冷気と熱交換して状態ｉまで加熱される。この状態ｉの空気が空気調和機２０の空気吸入側に流通して店舗Ａ内に供給される。また、第４通風路１４において、第４送風機１４ａによって冷気吸入口３１ｈから冷気流入路３１ｇ及び第６通風路１６を介して流入する状態ｈの冷気は、デシカントロータ１０ｃを通過することにより、状態ｊまで除湿されるとともに、水分の凝縮熱によって加熱される。状態ｊの空気は、第２顕熱交換器１０ｂを通過することにより、第３通風路１３を流通する冷気と熱交換して状態ｋまで冷却される。この状態ｋの空気が第７通風路１７及び冷気流出路３１ｉを介して冷気吐出口３１ｊから吐出される。
【００４３】
このような換気ユニット１０の運転により、外気（ＯＡ）は、加湿器６０によって加湿されることにより蒸発熱で冷却された還気（ＲＡ）との顕熱交換により、エンタルピを減少させて空気調和機２０の空気吸入側に供給される。還気（ＲＡ）は、ショーケース３０の運転によって生じる排熱によって加熱されることにより、デシカントロータ１０ｃの再生用空気として利用された後に排気（ＥＡ）として屋外に排出される。また、ショーケース３０の前方に位置する通路下部の冷気の一部は、デシカントロータ１０ｃによって除湿された後にその他の冷気と熱交換することにより、エンタルピを減少させてショーケース３０のエアカーテンの外側を流通する。また、その他の冷気は、一部の冷気との熱交換により、エンタルピを増加させて空気調和機２０の空気吸入側に供給される。このとき、空気調和機２０の空気吸入側に供給されるその他の冷気は、一部の冷気との熱交換によりエンタルピは増加するが、店舗Ａ内の空気よりもエンタルピは小さいため、空調負荷が増加することはない。
【００４４】
また、冬季等の外気温度の温湿度が低く、外気（ＯＡ）のエンタルピが冷気循環運転の状態ｋの空気のエンタルピよりも小さい場合、換気ユニット１０は前記第１の実施形態と同様に外気流通運転を行なう。
【００４５】
また、空気調和機２０が冷房運転を行うとともに、換気ユニット１０が冷気循環運転を行なっているときに、外気（ＯＡ）のエンタルピが店舗Ａ内の還気（ＲＡ）のエンタルピよりも小くなる場合には、第４ダンパ１８ａによってバイパス通風路１８を開放する。これにより、図１４の空気線図に示すように、第２通風路１２を流通する状態ｌの外気（ＯＡ）は、第１顕熱交換器１０ａを流通することなく圧力損失の小さいバイパス通風路１８を流通し、還気（ＲＡ）によって加熱されることなく店舗Ａ内に供給される。
【００４６】
このように、本実施形態の冷凍空調システムによれば、第１の通風路１１の第１顕熱交換器１０ａの上流側を流通する空気を加湿するための加湿器６０を備えたので、加湿器６０によって加湿された第１通風路１１を流通する還気を、水分の蒸発熱によって冷却することができ、冷却された還気を第１顕熱交換器１０ａによって外気と顕熱交換させることにより、外気のエンタルピを更に減少させて空気調和機２０を介して店舗Ａ内に流通させることができる。これにより、店舗Ａ内の空調負荷の低減を更に図ることができる。
【００４７】
また、第１顕熱交換器１０ａに第４ダンパ１８ａによって開閉可能なバイパス通風路１８を設けたので、外気のエンタルピが店舗Ａ内の還気のエンタルピよりも小さくなる場合に、第１顕熱交換器１０ａによって熱交換を行なうことなく外気を店舗Ａ内に流通させることができ、第１顕熱交換器１０ａによる外気のエンタルピの上昇を防止することができる。
【００４８】
尚、前記第１及び第２の実施形態では、デシカントロータ１０ｃに吸着した水分を放出させる空気を加熱するための加熱手段として、ショーケース３０の冷凍サイクルを構成する冷媒回路４０に接続され、ショーケース３０の冷却運転時に発生する排熱を放出するための再生用凝縮器１０ｄを用いたものを示したが、図１５に示すように、各ショーケース３０に設けられた冷却器３２ｃ及び圧縮機７１ａからなる低温側冷媒回路７１と、圧縮機７２ａ、凝縮器７２ｂ及び再生用凝縮器１０ｄからなる高温側冷媒回路７２と、低温側冷媒回路７１の高圧側冷媒と高温側冷媒回路７２の低圧側冷媒を熱交換する熱交換器７３を備えた二元冷凍サイクル７０の再生用凝縮器１０ｄを加熱手段として用いても、同様にデシカントロータ１０ｃに吸着した水分を放出させる空気を加熱することが可能となる。また、図１６に示すように、各ショーケース３０に設けられた冷却器３２ｃ、圧縮機８１ａ及び凝縮器８１ｂからなる冷媒回路８１と、圧縮機８２ａ及び再生用凝縮器１０ｄからなり、冷媒回路８１の凝縮器８１ｂから流出する冷媒を過冷却するための過冷却用冷媒回路８２と、冷媒回路８１の凝縮器８１ｂから吐出する冷媒と過冷却冷媒回路８２の低圧側冷媒を熱交換可能な熱交換器８３を備えた冷凍サイクルの再生用凝縮器１０ｄを加熱手段として用いても同様に、デシカントロータ１０ｃに吸着した水分を放出させる空気を加熱することが可能となる。この場合、冬季等のショーケース３０の冷却負荷が小さく、外気流通運転を行なっているときには、過冷却用冷媒回路８２によって冷媒回路８１を流通する冷媒を過冷却する必要はなく、デシカントロータ１０ｃも停止しているため、圧縮機８２ａを停止することができる。これにより、消費エネルギーの低減を図ることができる。
【００４９】
また、前記第１及び第２の実施形態では、ショーケース本体３１に冷気流入路３１ｇ及び冷気流出路３１ｉが予め組み込まれているものを示したが、図１７に示すように、冷気流入路３１ｇ及び冷気流出路３１ｉを有していない従来のショーケース本体３１の上面及び背面にダクト部材を取付けることにより、冷気流入路３３ａ及び冷気流出路３３ｂを形成するようにしてもよい。
【００５０】
また、前記第１及び第２の実施形態では、ショーケース３０の前方に位置する通路下部の冷気の一部を、デシカントロータ１０ｃによって除湿した後にその他の冷気と熱交換させてショーケース３０のエアカーテンの外側を流通させるとともに、冷気循環運転及び外気流通運転を切換可能にしたものを示したが、図１８に示すように、ショーケース３０の前方に位置する通路下部の冷気を、デシカントロータ１０ｃによって除湿した後にショーケース３０のエアカーテンの外側に全て流通させる冷気循環運転専用の換気ユニット９０を用いても、冷気吐出口３１ｊから吐出する冷気の絶対湿度を低下させることができ、冷気吐出口３１ｊ近傍の結露を防止することができる。また、ショーケース３０の空気吸入口３２ｄから商品冷却通風路３２に流入する空気の絶対湿度を低下させることができ、冷却器３２ｃの着霜量を低減することができる。更に、冷気吐出口３１ｊから吐出する冷気は、デシカントロータ１０ｃによって除湿されてもエンタルピが変化することはないため、ショーケース３０の冷却負荷が増加することはない。
【００５１】
また、前記第１及び第２の実施形態では、第１通風路１１のデシカントロータ１０ｃと第１顕熱交換器１０ａとの間に設けられ、第１通風路１１を流通する空気を加熱するための再生用凝縮器１０ｄを冷媒回路４０に接続したものを示したが、図１９に示すように、第２通風路１２の第１顕熱交換器１０ａの下流側に設けられ、第２通風路１２を流通する空気を加熱するための冷気加熱用凝縮器１０ｅを再生用凝縮器１０ｄと並列に冷媒回路４０に接続し、開閉弁４５，４６によって圧縮機４１から吐出される冷媒の流路を再生用凝縮器１０ｄ側または冷気加熱用凝縮器１０ｅ側に切換可能に設けるようにしてもよい。この場合、夏季等の換気ユニット１０の冷気循環運転時には、開閉弁４５を開放して開閉弁４６を閉鎖することにより、冷媒回路４０の流路を再生用凝縮器１０ｄ側に設定し、冬季等の換気ユニット１０の外気流通運転時には、開閉弁４５を閉鎖して開閉弁４６を開放することにより、冷媒回路４０の流路を冷気加熱用凝縮器１０ｅ側に設定する。これにより、冬季などの換気ユニット１０の外気流通運転時において、第２の通風路１２を流通するショーケース３０の前方の冷気は、冷気加熱用凝縮器１０ｅによって加熱されて空気調和機２０の空気吸入側に吸入されることから、従来外部に排出される排熱を店舗Ａ内の暖房に用いることが可能となる。
【００５２】
また、前記第１及び第２の実施形態では、ショーケース３０の背面側の商品冷却通風路３２を仕切板３２ａによって商品収納部３１ｅ側と断熱壁３１ａ側に仕切るとともに、背面側の商品冷却通風路３２の商品収納部３１ｅ側に冷却器３２ｃを設け、商品収納部３１ｅの内側と外側の温度が異なるエアカーテンを形成したものを示したが、背面側の商品冷却通風路３２を仕切板３２ａによって仕切ることなく冷却器３２ｃを設け、エアカーテンを形成したものでもよい。
【００５３】
また、前記第１及び第２の実施形態では、店舗Ａ内に供給する冷気及び外気を空気調和機２０の空気吸入側に流入させるようにしたものを示したが、店舗Ａ内の天井または壁面に設けられた空気吐出口から店舗Ａ内に直接冷気及び外気を吐出するようにしても同様に冷房負荷及び暖房負荷の低減を図ることが可能となる。
【００５４】
また、前記第１及び第２の実施形態では、デシカントロータ１０ｃを除湿部材としたものを示したが、エレメントの水分吸着側と再生側をダンパによって切換えるバッチ式でもよい。
【００５５】
また、前記第１及び第２の実施形態では、第１及び第２顕熱交換器を固定式の直交流型顕熱交換器としたものを示したが、回転式の顕熱交換器でもよい。
【００５６】
また、前記第２の実施形態では、第１通風路１１の第１顕熱交換器１０ａの上流側を流通する空気を加湿するための加湿器６０として、各ショーケース本体３１内に設けられた冷却器３２ｃにおいて生じる結露や除霜運転によって生じるドレン水をポンプ６１によって圧送し、ポンプ６１によって圧送されたドレン水をスプレーノズル６２から第１の通風路１１内に噴霧するようにしたものを示したが、第１の通風路１１内に加湿材を設けて加湿材に水を滴下するようにしてもよいし、第１顕熱交換器１０ａに直接水を接触させるようにしてもよい。これにより、前記第２の実施形態と同様に、第１通風路１１の第１顕熱交換器１０ａの上流側を流通する空気を加湿することができる。また、加湿に用いる水は一般の給水でもよい。
【図面の簡単な説明】
【００５７】
【図１】本発明の第１の実施形態を示す風回路を示す冷凍空調システムの概略構成図
【図２】冷媒回路を示す冷凍空調システムの概略構成図
【図３】ショーケースの側面断面図
【図４】制御系を示すブロック図
【図５】冷気循環運転時の空気の流路を示す冷凍空調システムの概略構成図
【図６】外気流通運転時の空気の流路を示す冷凍空調システムの概略構成図
【図７】冷気循環運転時の空気の状態を示す空気線図
【図８】外気流通運転時の空気の状態を示す空気線図
【図９】換気ユニットの運転切換の制御に関するフローチャート
【図１０】ショーケース用送風機の送風量の制御に関するフローチャート
【図１１】本発明の第２の実施形態を示す冷媒回路及びドレン水回路を示す冷凍空調システムの概略構成図
【図１２】バイパス回路を示す第１顕熱交換器の斜視図
【図１３】冷気循環運転時の空気の状態を示す空気線図
【図１４】バイパス回路に外気を流通させたときの空気の状態を示す空気線図
【図１５】その他の冷媒回路を示す冷凍空調システムの概略構成図
【図１６】その他の冷媒回路を示す冷凍空調システムの概略構成図
【図１７】その他の例を示すショーケースの側面断面図
【図１８】その他の風回路を示す冷凍空調システムの概略構成図
【図１９】その他の冷媒回路を示す冷凍空調システムの概略構成図
【符号の説明】
【００５８】
１０…換気ユニット、１０ａ…第１顕熱交換器、１０ｂ…第２顕熱交換器、１０ｃ…デシカントロータ、１０ｄ…再生用凝縮器、１０ｅ…冷気加熱用凝縮器、１１…第１通風路、１１ａ…第１送風機、１２…第２通風路、１２ａ…第２送風機、１３…第３通風路、１３ａ…第３送風機、１４…第４通風路、１４ａ…第４送風機、１５…第５通風路、１５ａ…第１ダンパ、１６…第６通風路、１６ａ…第２ダンパ、１７…第７通風路、１８…バイパス通風路、１８ａ…第４ダンパ、２０…空気調和機、３０…ショーケース、３１…ショーケース本体、３１ｇ…冷気流入路、３１ｈ…冷気吸入口、３１ｉ…冷気流出路、３１ｊ…冷気吐出口、３２…商品冷却通風路、３２ｂ…ショーケース用送風機、３２ｃ…冷却器、３２ｄ…空気吸入口、３２ｅ…空気吐出口、４０…冷媒回路、４１…圧縮機、５０…制御部、５１…第１温湿度検出器、５２…第２温湿度検出器、５３…第１温度検出器、５４…第２温度検出器、５５…記憶部、６０…加湿器、６１…ポンプ、６２…スプレーノズル、７０…二元冷凍サイクル、７１…低温側冷媒回路、７１ａ…圧縮機、７２…高温側冷媒回路、７２ａ…圧縮機、７２ｂ…凝縮器、７３…熱交換器。
【図１】
2006343019.tif 000003
【図２】
2006343019.tif 000004
【図３】
2006343019.tif 000005
【図４】
2006343019.tif 000006
【図５】
2006343019.tif 000007
【図６】
2006343019.tif 000008
【図７】
2006343019.tif 000009
【図８】
2006343019.tif 000010
【図９】
2006343019.tif 000011
【図１０】
2006343019.tif 000012
【図１１】
2006343019.tif 000013
【図１２】
2006343019.tif 000014
【図１３】
2006343019.tif 000015
【図１４】
2006343019.tif 000016
【図１５】
2006343019.tif 000017
【図１６】
2006343019.tif 000018
【図１７】
2006343019.tif 000019
【図１８】
2006343019.tif 000020
【図１９】
2006343019.tif 000021